(57)【特許請求の範囲】
【請求項１】
ブロー成形された座板の表面に、逆台形状に凹入する取付部を形成し、この取付部における両側壁間に、この取付部の底面部と当接する平坦面と、この平坦面の両側から斜め上方に延出し、前記取付部の傾斜面と当接する１対の傾斜片とを有する取り外し可能な平底Ｖ字状の取付金具を、その上端が取付部の上縁より下位となるようにして嵌合し、座板を、取付金具と脚部との間に挾圧した状態で、それらを一体として、ボルト、ナットをもって締着することにより、脚部に取り付けてなることを特徴とする椅子における座板の取付構造。
【請求項２】
取付部の当接面に、係合部を突設し、この係合部を利用して、取付金具を取付部に係止させるようにしたことを特徴とする請求項１記載の椅子における座板の取付構造。
【請求項３】
取付金具の上端を、取付部の上縁まで延出させたことを特徴とする請求項１または２記載の椅子における座板の取付構造。
【発明の詳細な説明】
【０００１】
【発明の属する技術分野】
本発明は、椅子の座板の取付構造に関する。
【０００２】
【従来の技術】
従来における椅子の座板と脚杆との取付構造の代表的なものが、実公平2-42202号公報に記載されている。同公報記載の椅子は、ブロー成形したシェルに、セルフタッピング金具を予めインサートし、この金具を利用して、シェルと脚杆とを接合するようにしている。
【０００３】
また、実公平1-36439号公報記載の椅子においては、ナットを座面の裏側にインサートし、このナットに、脚杆をボルトによって接合するようにしている。
【０００４】
【発明が解決しようとする課題】
しかし、上記実公平2-42202号公報記載の椅子では、金具をシェルにインサート成形しているので、椅子を廃棄する際に、分別が困難であるという問題がある。また、金具が座面の裏側にインサートされているために、強度的に不十分で、特に、背もたれ付きの椅子の取付構造としては適さない。
【０００５】
更に、実公平1-36439号公報記載の椅子の場合は、ナットのみで、シェルを押さえる構造であるため、ナットとシェルとの接触面積が小さく、脚杆を取り付けた場合、取付部の強度が不十分となる。
【０００６】
本発明は、従来の技術が有する上述のような問題点に鑑みてなされたもので、ブロー成形されたシェルと、椅子の脚杆との取付強度が高く、廃棄の際の分離が簡単で、分別回収を容易に行うことのできる椅子の座板の取付構造を提供することを目的とする。
【０００７】
【課題を解決するための手段】
本発明は、次のようにして上記課題を解決している。
(１)ブロー成形された座板の表面に、逆台形状に凹入する取付部を形成し、この取付部における両側壁間に、この取付部の底面部と当接する平坦面と、この平坦面の両側から斜め上方に延出し、前記取付部の傾斜面と当接する１対の傾斜片とを有する取り外し可能な平底Ｖ字状の取付金具を、その上端が取付部の上縁より下位となるようにして嵌合し、座板を、取付金具と脚部との間に挾圧した状態で、それらを一体として、ボルト、ナットをもって締着することにより、脚部に取り付る。
【０００８】
(２)上記（１)項において、取付部の当接面に、係合部を突設し、この係合部を利用して、取付金具を取付部に係止させる。
【０００９】
(３)上記（１）項または（２）項において、取付金具の上端を、取付部の上縁まで延出させる。
【００１０】
【発明の実施の形態】
次に、本発明の実施の形態を、添付図面を参照しながら説明する。
【００１１】
図１は、本実施形態の座板の取付構造を適用した椅子の分解斜視図である。この椅子は、図示しないクッション材等が取り付けられる座板のためのシェル(10)と、シェル(10)を支持する脚部(12)等とから構成されている。
【００１２】
シェル(10)は、座部(14)と背部(16)とからなり、ポリエチレン、ポリプロピレン等の樹脂を用いてブロー成形することによって形成されている。
【００１３】
図１及び図２に示すように、シェル(10)の座部(14)には、裏面方向に向かって逆台形状の取付部(18)が合計３箇所（図２では１箇所のみ図示）形成され、図６に示すように、取付部(18)の底壁(18a)の中央には、貫通孔(18b)が穿設されている。
【００１４】
図３〜図５は、取付部(18)の表面側に重合される取付金具(20)を示す。図３に示すように、取付金具(20)は、前述した取付部(18)における両側壁(18d)(18d)の内側に嵌合可能なように、正面視平底Ｖ字状をなしており、取付部(18)の底壁(18a)と当接する平坦面(20a)と、この平坦面(20a)の両側から斜め上方に延出し、取付部(18)の傾斜面と当接する傾斜片(20b)とを有している。
【００１５】
平坦面(20a)の上面中央には、ナット(22)が溶接されている。
【００１６】
図１に示すように、脚部(12)における取付プレート(24)に穿設された３個のシェル取付孔(26)の下方から、それぞれボルト(28)を挿入し、このボルト(28)を前記ナット(22)に螺合させることによって、取付プレート(24)とシェル(10)とを接合する。
【００１７】
取付プレート(24)には、脚部(12)を構成する脚杆(30)が固着されている。取付プレート(24)とシェル(10)との間には、円形のハンドル(32)がプレート(34)を介して固定されている。
【００１８】
図６は、本実施形態の座板の取付構造の要部を示す。シェル(10)の取付部(18)には、取付金具(20)が、取付部(18)の底面及び傾斜面に当接した状態で固着されている。取付金具(20)の平坦面(20a)に溶接されたナット(22)には、ボルト(28)が螺合され、取付プレート(24)と取付金具(20)との間にシェル(10)を挾圧した状態となっている。
【００１９】
シェル(10)の取付部(18)に、取付金具(20)が、その平坦面(20a)及び傾斜片(20b)を当接させた状態で、シェル(10)を脚部(12)に対して固定される。これにより、シェル(10)と取付金具(20)との接触面積が大となり、シェル(10)と取付プレート(24)との取付強度が向上し、結果的に、シェル(10)を確実に脚部(12)に取り付けることができるようになり、背もたれ付きの椅子にも十分に対応可能となる。
【００２０】
このように、本実施形態によれば、シェル(10)に形成した凹入する取付部(18)に、従来のインサート成形によらない取り外し可能な取付金具(20)を配置して、この取付金具(20)を利用して脚部(12)との接合を行うようにしているため、椅子を廃棄する際に、シェル(10)と取付金具(20)との分解が容易であり、分別回収に対応でき、環境問題に配慮した椅子を提供できる。
【００２１】
本実施形態では、図６に示すように、取付金具(20)の上端(20c)は、取付部(18)の上縁(18c)よりやや下位としてあるが、上縁(18c)まで、達するように延出させることも可能である。このようにすれば、取付部(18)はさらに補強され、取付金具(20)の強度は向上する。
【００２２】
また、取付部(18)の要所に、取付金具(20)を係止しうる係合部を突設しておけば、取付金具(20)を容易に位置決めすることができるとともに、取付金具(20)の回り止めとして機能するために、ボルトの螺合作業が容易となる。
【００２３】
さらに、本実施形態では、取付金具(20)側にナット(22)を設けているが、逆にボルトを突設させて、脚部(12)側からナットで接合することも可能である。
【００２４】
【発明の効果】
本発明によれば、次のような効果を奏することができる。
(a)請求項１の発明によると、シェルの取付部から取り外し可能な取付金具を利用して取付金具と脚部とを接合するようにしているので、椅子の廃棄時に、取付金具とシェルとを、容易に分離することができ、分別回収に対応することができる。
【００２５】
(b)また、取付部を逆台形状に形成しているので、座板の成形作業が容易となる。
【００２６】
(c)請求項２の発明によると、取付部の当接面に、係合部を突設しているので、取付金具を取付部に配置する際の位置決めが容易となる。
【００２７】
(d)請求項３の発明によると、取付金具の上端を、取付部の上縁まで延出させているので、取付部が補強され、結果的に、座板と脚部との取付強度が向上する。
【図面の簡単な説明】
【図１】  本発明の一実施形態が適用された椅子の分解斜視図である。
【図２】  同じく、本実施形態の要部である座板の断面図である。
【図３】  同じく、本実施形態に使用される取付金具の正面図である。
【図４】  同じく、本発明の一実施形態に使用される取付金具の平面図である。
【図５】  同じく、本発明の一実施形態に使用される取付金具の側面図である。
【図６】  同じく、本実施形態の要部断面図である。
【符号の説明】
(10)シェル（座板）
(12)脚部
(14)座部
(16)背部
(18)取付部
(18a)底壁
(18b)貫通孔
(18c)上縁
(18d)側壁
(20)取付金具
(20a)平坦面
(20b)傾斜片
(20c)上端
(22)ナット
(24)取付プレート
(26)シェル取付孔
(28)ボルト
(30)脚杆
(32)ハンドル
(34)プレート
【図１】
0004114823.tif 000002
【図２】
0004114823.tif 000003
【図３】
0004114823.tif 000004
【図４】
0004114823.tif 000005
【図５】
0004114823.tif 000006
【図６】
0004114823.tif 000007